(57)【要約】【課題】伴奏装置を利用して伴奏生成機能を容易に拡張する。【解決手段】リアルタイム生成では、コードのイベント列Ｄ７、テンポデータＤ５及びメロディイベント列Ｄ８がシーケンサ２５に直接入力され、スタイル名Ｄ３、スタイルセクションのイベント列Ｄ６は、スタイル名変換部２２、セクション名変換部２０を介して入力される。変換部２２は、作曲用テンプレート１１の登録スタイル名と自動伴奏装置３０で処理可能な対応スタイル名とを機種毎に対応付けて登録したスタイル名変換テーブル２３を参照し、スタイル名Ｄ３を伴奏装置３０に合わせて（例えば○○ロックから××ロックへ）変換する。これらのデータはシーケンサ２５から伴奏装置３０に出力され、伴奏生成部３１は、入力されたスタイル名、スタイルセクション名等に基づいて、テンポクロック信号に従って伴奏データを生成する。【選択図】　　　図１
2004020796.tif 000002
【特許請求の範囲】
【請求項１】
伴奏データ生成機能を有する伴奏装置を接続する接続手段と、
メロディデータと該メロディデータに対応して前記伴奏装置が伴奏データを生成するための伴奏生成用データとを生成するデータ生成手段と、
前記データ生成手段により生成されたメロディデータをメロディ音源に供給するメロディデータ供給手段と、
前記データ生成手段により生成された伴奏生成用データを前記伴奏装置に供給することで、前記伴奏装置に、前記供給した伴奏生成用データに基づき前記メロディデータに対応する伴奏データを生成させる伴奏データ生成指示手段とを有することを特徴とする作曲装置。
【請求項２】
前記データ生成手段により生成された伴奏生成用データを、前記接続手段により接続された伴奏装置に応じて変換するデータ変換手段を有し、前記伴奏データ生成指示手段は、前記データ変換手段により変換された後の伴奏生成用データを前記伴奏装置に供給することを特徴とする請求項１記載の作曲装置。
【請求項３】
前記データ変換手段は、前記データ生成手段により生成され得る伴奏生成用データと前記伴奏装置が処理可能な伴奏生成用データとを対応付けた変換テーブルを参照して前記伴奏生成用データの変換を行うことを特徴とする請求項２記載の作曲装置。
【請求項４】
前記データ生成手段により生成されたメロディデータと伴奏生成用データとを記憶するデータ記憶手段を有し、前記メロディデータ供給手段は、前記データ記憶手段により記憶されたメロディデータを前記メロディ音源に供給すると共に、前記伴奏データ生成指示手段は、前記データ記憶手段により記憶された伴奏生成用データを前記伴奏装置に供給することを特徴とする請求項１〜３のいずれか１項に記載の作曲装置。
【発明の詳細な説明】
【０００１】
【発明の属する技術の分野】
本発明は、伴奏データを生成するための伴奏生成用データとメロディデータとを生成する作曲装置に関する。
【０００２】
【従来の技術】
従来、ユーザが与えたモチーフに基づき作曲を行う作曲装置が知られている。この装置では一般に、作曲用のテンプレートを記憶しており、ユーザが２小節分程度のモチーフメロディを与えると、自動的に作曲が行われるようになっている。作曲用のテンプレートには、スタイル名、曲構成、効果（フィルの入る頻度の指定等）、コード進行等の伴奏生成用データとメロディ生成用データとが含まれており、これらのデータとモチーフメロディとに基づいて、伴奏のノートデータ及びメロディのノートデータが生成されて、伴奏付きの完成曲が得られる。
【０００３】
【発明が解決しようとする課題】
しかしながら、作曲装置に搭載されるスタイルデータ等の伴奏生成用データは、自動伴奏機能を有する鍵盤楽器等の電子楽器に搭載されるものと比べれば限定的であり、そのため、伴奏生成に関し物足りず、十分に満足のいくものが実現されない場合がある。また、作曲装置が古い機種である場合に、伴奏生成機能を拡張するために、最新の電子楽器が有する伴奏生成機能を利用して伴奏付き演奏ができれば好ましい、とのユーザからの要望もある。
【０００４】
ここで、電子楽器に搭載されるような多彩な伴奏生成用データを予め作曲装置に搭載することが考えられるが、データ量が多くなる点で不利である。また、最新の伴奏生成用データを利用できるようにするためには、バージョンアップに応じて作曲装置内の伴奏生成用データを更新しなければならない。これらの事情から、作曲装置の伴奏生成機能を拡張する上で、対応が容易でないという問題があった。
【０００５】
本発明は上記従来技術の問題を解決するためになされたものであり、その目的は、伴奏装置を利用して伴奏生成機能を容易に拡張することができる作曲装置を提供することにある。
【０００６】
【課題を解決するための手段】
上記目的を達成するために本発明の請求項１の作曲装置は、伴奏データ生成機能を有する伴奏装置を接続する接続手段と、メロディデータと該メロディデータに対応して前記伴奏装置が伴奏データを生成するための伴奏生成用データとを生成するデータ生成手段と、前記データ生成手段により生成されたメロディデータをメロディ音源に供給するメロディデータ供給手段と、前記データ生成手段により生成された伴奏生成用データを前記伴奏装置に供給することで、前記伴奏装置に、前記供給した伴奏生成用データに基づき前記メロディデータに対応する伴奏データを生成させる伴奏データ生成指示手段とを有することを特徴とする。この構成によれば、伴奏装置を利用して伴奏生成機能を容易に拡張することができる。
【０００７】
【発明の実施の形態】
以下、本発明の実施の形態を図面を参照して説明する。
【０００８】
図１及び図２は、本発明の一実施の形態に係る作曲装置を含んで構成される自動作曲伴奏システムの機能構成を示すブロック図である。本自動作曲伴奏システムは、作曲装置１０と自動伴奏装置３０とが、例えば不図示のＭＩＤＩ（Ｍｕｓｉｃａｌ　Ｉｎｓｔｒｕｍｅｎｔ　Ｄｉｇｉｔａｌ　Ｉｎｔｅｒｆａｃｅ）インターフェイス等の接続手段でデータ通信可能に接続されて構成される。作曲装置１０は、例えば、自動作曲用のアプリケーションを有するパーソナルコンピュータとして構成され、自動伴奏装置３０は、例えば、鍵盤楽器として構成される。なお、作曲装置１０及び自動伴奏装置３０はいずれも、不図示のＣＰＵ、ＲＡＭやＲＯＭ等のメモリ、タイマ、表示部、操作部等を備えており、これらが作曲装置１０及び自動伴奏装置３０の各種機能を果たす。
【０００９】
詳細は後述するように、作曲装置１０は自動作曲を行い、伴奏生成用データ及びメロディ生成用データを抽出する。ノートデータであるメロディデータは、作曲装置１０がメロディ生成用データに基づいて生成する。ノートデータである伴奏データは、伴奏生成用データに基づいて作曲装置１０で生成することもできるが、自動伴奏装置３０に生成させることも可能なように構成されている。伴奏データを自動伴奏装置３０で生成させる場合は、伴奏生成用データの一部を自動伴奏装置３０に合わせて変換して供給するようにする。
【００１０】
従って、大きく分けて、作曲装置１０内で伴奏データの生成を行う「作曲装置内伴奏生成」と、自動伴奏装置３０で伴奏データの生成を行わせるために伴奏生成用データ等を変換して出力する「伴奏装置向け変換出力」という２通りの処理がある。以下、これらを分けて説明する。
【００１１】
［作曲装置内伴奏生成］
まず、「作曲装置内伴奏生成」の処理を説明する。図１に示すように、作曲装置１０には、作曲用テンプレート１１が登録されている。作曲用テンプレート１１には、伴奏生成用データとメロディ生成用データとが含まれている。ユーザが２小節分程度のモチーフメロディを与えると、それに応じて、伴奏生成用データ抽出部１２により伴奏生成用データＤ１が、メロディ生成用データ抽出部１３によりメロディ生成用データＤ２が、それぞれ抽出される。
【００１２】
抽出される伴奏生成用データＤ１には、スタイル名、曲構成、効果、コード進行、テンポ等の情報が含まれる。ここで、「スタイル名」は、ロックやポップス等の音楽ジャンルの演奏スタイルに対応する伴奏スタイル名であり、各スタイルデータは、イントロ、メインＡ、Ｂ、フィルＡ、Ｂ、エンディング等の複数のセクションデータで構成される。「曲構成」は、Ａメロ、Ｂメロ等のように伴奏に変化を与える構成であり、例えば、Ｂメロが「さび」である場合は、盛り上げるような伴奏が生成される。「効果」は、例えば、「じみ」、「はで」等の入力に応じてフィルの入る頻度を設定するために用いられる。
【００１３】
伴奏生成用データ抽出部１２からは、伴奏生成用データＤ１のうち、曲構成、効果及びコード進行の情報Ｄ４がコード・セクションイベント列生成部１９に入力され、これらの情報Ｄ４に基づいて、小節進行に対応してコードのイベント列Ｄ７とスタイルセクションのイベント列Ｄ６とが生成される。また、メロディ生成用データ抽出部１３からは、メロディ生成用データＤ２がメロディイベント列生成部１４に入力され、メロディイベント列生成部１４により、メロディ生成用データＤ２に基づいて、メロディイベント列Ｄ８（メロディデータ）が生成される。メロディイベント列Ｄ８には、ノートイベントだけでなく、音色、効果等の情報も含まれる。
【００１４】
伴奏生成用データＤ１のうち伴奏生成用データ抽出部１２から出力されるスタイル名Ｄ３及びテンポデータＤ５、コード・セクションイベント列生成部１９から出力されるコードのイベント列Ｄ７及びスタイルセクションのイベント列Ｄ６、並びにメロディイベント列生成部１４から出力されるメロディイベント列Ｄ８は、いずれも伴奏生成部１６に入力される。そして、伴奏生成部１６は、入力されたスタイル名Ｄ３、コードのイベント列Ｄ７及びスタイルセクションのイベント列Ｄ６に基づいて、公知の手法により伴奏データを生成し、テンポデータＤ５に従って、生成した伴奏データをメロディイベント列Ｄ８と共に発音部１７に送る。発音部１７は、不図示の音源及びサウンドシステムを有しており、完成された楽曲につき、リアルタイムで伴奏付きのメロディ演奏を行う。なお、完成された楽曲は、ノートデータとして第１完成曲保存部１８に記憶することもできる。
【００１５】
ここまでの「作曲装置内伴奏生成」の処理は、従来の自動作曲装置において通常行われている処理であり、公知の手法で実現可能である。なお、本実施の形態では、スタイル名Ｄ３、テンポデータＤ５、コードのイベント列Ｄ７、スタイルセクションのイベント列Ｄ６及びメロディイベント列Ｄ８を、変換前保存部１５に一旦記憶することができる。この場合は、これらのデータを後で変換前保存部１５から読み出し伴奏生成部１６に入力することで、完成された楽曲につき、事後的に伴奏付きのメロディ演奏を行うことも可能である。
【００１６】
［伴奏装置向け変換出力］
次に、「伴奏装置向け変換出力」の処理を説明する。「伴奏装置向け変換出力」には、作曲処理に並行して自動伴奏装置３０で伴奏生成を行わせる「リアルタイム生成」と、事後的に伴奏生成を行わせる「事後生成」とがある。
【００１７】
〈リアルタイム生成〉
コード・セクションイベント列生成部１９から出力されるコードのイベント列Ｄ７、伴奏生成用データ抽出部１２から出力されるテンポデータＤ５、及びメロディイベント列生成部１４から出力されるメロディイベント列Ｄ８は、いずれもシーケンサ２５に直接入力される。しかし、伴奏生成用データ抽出部１２から出力されるスタイル名Ｄ３は、スタイル名変換部２２に入力され、コード・セクションイベント列生成部１９から出力されるスタイルセクションのイベント列Ｄ６は、セクション名変換部２０に入力される。
【００１８】
まず、スタイル名変換部２２は、スタイル名変換テーブル２３を参照し、入力されたスタイル名Ｄ３を、自動伴奏装置３０に合わせて変換する。図３に、このスタイル名変換テーブル２３の一例を示す。スタイル名変換テーブル２３は、作曲用テンプレート１１の伴奏生成用データとして登録されているスタイル名と、該スタイル名に対応する自動伴奏装置の機種毎の対応スタイル名とを対応付けて登録したデータである。例えば、スタイル名として「○○ロック」をそのまま自動伴奏装置３０に供給したとして、自動伴奏装置３０で「○○ロック」に対応できない（解釈や処理ができない）場合は、メロディに適合した適切な伴奏生成がなされない。そのため、例えば、「○○ロック」に対して、機種Ａでは「××ロック」、機種Ｂでは「△△ロック」というように、接続されている自動伴奏装置３０に最も適合する対応スタイル名に変換して出力する。なお、自動伴奏装置３０の機種は、接続時等に取得される機種ＩＤ等により把握したり、ユーザが指定したりすることができる。
【００１９】
このようにして、スタイル名変換部２２は、入力されたスタイル名Ｄ３（例えば○○ロック）を変換し、変換後のスタイル名Ｄ９（例えば「××ロック」）をシーケンサ２５に出力する。
【００２０】
また、セクション名変換部２０についてもスタイル名変換部２２と同様に、セクション名変換テーブル２１を参照して、入力されたスタイルセクションのイベント列Ｄ６を、自動伴奏装置３０に合わせて変換し、変換後のスタイルセクションのイベント列Ｄ１０をシーケンサ２５に出力する。なお、イベント列Ｄ１０を構成する「スタイルセクション名」は、スタイルの機能（イントロ、メイン、フィル等）に応じたパターンデータ名である。なお、コードのイベント列Ｄ７についても同様に変換の対象にしてもよい。
【００２１】
なお、スタイルやセクションの名称を変換するものに限らず、自動伴奏装置３０がスタイルやセクションを番号や記号で識別する場合は、スタイルやセクションの名称に対応した番号や記号に変換するようにしてもよい。
【００２２】
シーケンサ２５では、入力された各データから、メロディ及び伴奏の演奏シーケンスが編成される。図４は、この演奏シーケンスの一例を示す図である。「スタイル名」及び「スタイルセクション名」は、変換後のものであり、例えば、「スタイル名」は「××ロック」になっている。
【００２３】
「リアルタイム生成」では、作曲装置１０がマスター、自動伴奏装置３０がスレーブとなって再生がなされる。シーケンサ２５からは、編成された演奏シーケンスのデータが、テンポデータＤ５に従って自動伴奏装置３０にリアルタイムで出力される。例えば、伴奏については、１小節目でスタイル名「××ロック」、コード名「コードＦ」、スタイルセクション名「イントロ」、２小節目でコード名「コードＣ」、スタイルセクション名「メインＡ」というデータが送出される。その際、「テンポクロック信号」、「スタートストップ信号」も送出される。「テンポクロック信号」は、作曲装置１０で作曲された曲のテンポを指定するための信号であり、これにより、メロディとの同期がとられる。
【００２４】
演奏シーケンスのデータを出力することで、シーケンサ２５により、メロディデータに対応する伴奏データの生成が自動伴奏装置３０に対して指示されたことになる。自動伴奏装置３０で、この「テンポクロック信号」に基づいて、公知の手法により、受信した各データから「ベース」、「バッキング」等の伴奏パートのノートデータを生成していく。
【００２５】
すなわち、図１、図２に示すように、スタイル名、コード名、スタイルセクション名、テンポクロック信号及びスタートストップ信号の情報Ｄ１１が、シーケンサ２５から自動伴奏装置３０の伴奏生成部３１に出力される。なお、スタイル名、コード名及びスタイルセクション名については、ＭＩＤＩ送信の場合はエクスクルーシブ情報として送信される。また、メロディデータＤ１２が、シーケンサ２５からメロディ音源３６に出力される。
【００２６】
一方、伴奏生成部３１は、入力されたスタイル名、スタイルセクション名に対応するスタイルセクションデータを、スタイルデータテーブル３３から抽出すると共に、入力されたコード名に従ってコードテーブル３４を参照し、テンポクロック信号に従って、ノートデータである「伴奏データ」を生成する。ここで、コードテーブル３４は、コード名を実音に変換するためのテーブルであり、例えば、「Ｃメジャー」というコード名を受けると「Ｃ」というベース音と共に「Ｃ、Ｅ、Ｇ」というバッキング音が生成される。また、どのタイミングでどの音高を発音させるかは、スタイルセクションデータで規定される。なお、スタイル名にはドラムスデータも含まれるが、これはコード名に依存しない。
【００２７】
このようにして生成された「伴奏データ」は、伴奏生成部３１から伴奏音源３５に出力され、サウンドシステム３８により発音がなされる。また、メロディデータＤ１２は既にノートデータであるので、メロディ音源３６を介してサウンドシステム３８により発音がなされる。これにより、作曲時に抽出されたスタイルやセクションに対応する自動伴奏装置３０内の適当なスタイルやセクションにて、リアルタイムで、完成された楽曲の伴奏付きメロディ演奏がなされる。なお、完成された楽曲は、ノートデータとして第２完成曲保存部３７に記憶することもできる。
【００２８】
〈事後生成〉
作曲装置１０において、シーケンサ２５に入力されるべき変換後のスタイル名Ｄ９、変換後のスタイルセクションのイベント列Ｄ１０、コードのイベント列Ｄ７、テンポデータＤ５及びメロディイベント列Ｄ８を、変換後保存部２４にファイルデータとして記憶してもよい。「事後生成」では、この変換後保存部２４、または変換前保存部１５に記憶されたデータを用いて伴奏生成及び再生を行う。
【００２９】
まず、変換前保存部１５に記憶されているスタイル名Ｄ３、スタイルセクションのイベント列Ｄ６は、自動伴奏装置３０に合わせた変換がなされていない状態であるので、これらのデータについては、「リアルタイム生成」の場合と同様に、スタイル名変換部２２、セクション名変換部２０にそれぞれ一旦出力して変換処理を行い、シーケンサ２５に出力する。また、変換前保存部１５に記憶されているテンポデータＤ５、コードのイベント列Ｄ７及びメロディイベント列Ｄ８については、そのままシーケンサ２５に出力する。その後の処理は、「リアルタイム生成」の場合と同様である。これにより、伴奏生成前及び変換前の状態で作曲装置１０において記憶しておいた曲について、自動伴奏装置３０内の適当なスタイルやセクションにて、事後的に伴奏生成され、完成楽曲の伴奏付きメロディ演奏がなされる。
【００３０】
また、変換後保存部２４に記憶されているスタイル名Ｄ９、スタイルセクションのイベント列Ｄ１０は、自動伴奏装置３０に適合するように変換された後のものであるので、自動伴奏装置３０で伴奏生成を行わせるためには、記憶された各データをそのままシーケンサ２５に入力すればよい。その後の処理は、「リアルタイム生成」の場合と同様である。
【００３１】
あるいは、変換後保存部２４から、自動伴奏装置３０のファイル入力部３９に、不図示のＵＳＢ等の通信手段を介して、または外部記憶媒体を介して、ファイルデータＤ１３としてデータ転送するようにしてもよい。この場合は、ファイル入力部３９に転送されたファイルデータＤ１３は、不図示の自動伴奏装置用のシーケンサにより伴奏生成用データとメロディデータとに分離されて、伴奏生成部３１、メロディ音源３６にそれぞれ入力される。その後の処理は、「リアルタイム生成」の場合と同様である。なお、この場合でも、作曲装置１０と自動伴奏装置３０とは、通信手段または外部記憶媒体を介して接続されているといえる。
【００３２】
これらにより、伴奏生成前及び変換後の状態で作曲装置１０において記憶しておいた曲について、自動伴奏装置３０において事後的に伴奏生成され、完成楽曲の伴奏付きメロディ演奏がなされる。
【００３３】
ところで、図２に示すように、自動伴奏装置３０には、伴奏コントロール部３２が設けられ、伴奏コントロール部３２により、スタイルやセクションをユーザの任意で変更することができる。伴奏コントロール部３２には、不図示のスタイルボタンやフィルボタンが備えられる。例えば、再生中にユーザがフィルボタンを操作すると、そのフィルに一瞬切り替わり、その後、元のセクションに戻る、というような処理も行える。この場合でも、受信する情報Ｄ１１に、コード名、スタイルセクション名、テンポクロック信号等が含まれているので、伴奏シーケンスが正しく進行し、メロディとの整合や進行の一致も図られる。
【００３４】
本実施の形態によれば、作曲装置１０にて生成した伴奏生成用データを、メロディデータと共に自動伴奏装置３０に供給し、自動伴奏装置３０側で伴奏生成するようにしたので、作曲装置１０で作曲した曲について、自動伴奏装置３０の伴奏機能を利用して伴奏付きの完成楽曲を得ることができ、作曲装置１０の伴奏生成機能を容易に拡張することができる。また、スタイル名Ｄ３、スタイルセクションのイベント列Ｄ６については、自動伴奏装置３０に適合するように変換してから供給するようにしたので、メロディとの整合が維持された適切な伴奏データを生成させることができる。
【００３５】
また、変換後保存部２４または変換前保存部１５に、メロディデータ及び伴奏生成用データを一旦記憶しておき、これらのデータを用いて、事後的に自動伴奏装置３０にて伴奏生成を行えるようにしたので、使い勝手が向上すると共に、作曲装置１０側で保存したデータを資産として活用することも可能になる。特に、自動伴奏装置３０を接続していない状態で作曲し、変換前保存部１５に記憶されたデータについては、後で自動伴奏装置３０を接続したとき、それに適合するようにスタイル名等の変換処理を行った上でデータ供給できるので、所望の時に自動伴奏装置３０に適切な伴奏データを生成させることができる。
【００３６】
また、スタイル名等の変換処理は、スタイル名変換テーブル２３等を参照して行うようにしたので、テーブルを随時追加、更新することで、接続して伴奏機能を利用できる自動伴奏装置の機種を随時増やすことができ、更新にも容易に対応することができる。
【００３７】
なお、演奏のテンポを、自動伴奏装置３０側で後から変更できるようにしてもよい。例えば、テンポクロック信号だけに関しては、自動伴奏装置３０側をマスターとし、自動伴奏装置３０から作曲装置１０にテンポクロック信号を送り、作曲装置１０は、受けたテンポクロック信号を用いてシーケンサ２５を駆動するようにすればよい。あるいは、テンポについても作曲装置１０がマスターとなるが、自動伴奏装置３０にテンポスライダを設け、テンポ値情報を作曲装置１０に送ることで、作曲装置１０で生成されるテンポデータを自動伴奏装置３０側で制御するようにしてもよい。
【００３８】
なお、本実施の形態では、作曲用テンプレート１１は従来のものと同様で、スタイル名変換テーブル２３等を新たに設けることで、スタイル名等の変換を行うようにしたが、自動伴奏装置３０に存在するスタイル名等のリストを作曲装置１０に記憶し、このリストから作曲用テンプレート１１にスタイル名等を登録してもよい。この場合は、伴奏生成用データ抽出の段階で、自動伴奏装置３０に適合したスタイル名等が抽出される。また、将来的に、音色名とその並びを標準化したＧＭ（Ｇｅｎｅｒａｌ　ＭＩＤＩ）のように、スタイル名が標準化されれば、その標準スタイル名のリストを作曲装置１０に記憶して、同様に、このリストから作曲用テンプレート１１にスタイル名等を登録してもよい。
【００３９】
なお、自動伴奏装置３０にはシーケンサを設けない構成を例示したが、シーケンサを設けてもよい。この場合は、このシーケンサで作曲装置１０のシーケンサ２５からの情報Ｄ１１及びメロディデータＤ１２を受信すればよい。また、ファイル入力部３９に転送されたファイルデータＤ１３については、上記シーケンサに送って伴奏生成、再生等の処理を行わせるようにしてもよい。
【００４０】
なお、作曲装置１０からのメロディデータの供給先であるメロディ音源は、自動伴奏装置３０内蔵のものに限定されず、別体の音源装置としてもよい。
【００４１】
【発明の効果】
以上説明したように、本発明によれば、伴奏装置を利用して伴奏生成機能を容易に拡張することができる。
【図面の簡単な説明】
【図１】本発明の一実施の形態に係る作曲装置を含んで構成される自動作曲伴奏システムの機能構成を示すブロック図である。
【図２】同自動作曲伴奏システムの機能構成を示すブロック図である。
【図３】スタイル名変換テーブルの一例を示す図である。
【図４】メロディ及び伴奏の演奏シーケンスの一例を示す図である。
【符号の説明】
１０　作曲装置、１２　伴奏生成用データ抽出部（データ生成手段の一部）、１３　メロディ生成用データ抽出部（データ生成手段の一部）、１５　変換前保存部（データ記憶手段）、２０　セクション名変換部（データ変換手段）、２１セクション名変換テーブル（変換テーブル）、２２　スタイル名変換部（データ変換手段）、２３　スタイル名変換テーブル（変換テーブル）、２４　変換後保存部（データ記憶手段）、２５　シーケンサ（メロディデータ供給手段、伴奏データ生成指示手段）、３０　自動伴奏装置（伴奏装置）、３１　伴奏生成部
【図１】
2004020796.tif 000003
【図２】
2004020796.tif 000004
【図３】
2004020796.tif 000005
【図４】
2004020796.tif 000006